(57)【要約】【課題】羽根車の円滑な回転運動を確保でき、また優れた耐久性を有するパルスシャワー装置を提供する。【解決手段】内面から外面に貫通した複数のシャワー孔６４を備えた散水板６２と、散水板６２の上流側に設けられ、水流を羽根１０８に当てることで軸周りに回転運動する羽根車７２と、を備え、羽根車７２の回転によりシャワー孔６４からシャワー水をパルス状に断続吐水するパルスシャワー装置４５において、散水板６２には、羽根車７２側に突出する突起１２４を設けて、突起１２４の頂部を、頂部に対向する羽根車７２の散水板６２側の被支持面１３０に回転中心で当接し羽根車７２を支持する当接部１２６と成す。【選択図】        図３
2014150822.tif 000002
【特許請求の範囲】
【請求項１】
内面から外面に貫通した複数のシャワー孔を備えた散水板と、
該散水板の上流側に設けられ、水流を羽根に当てることで軸周りに回転運動する羽根車と、を備え、該羽根車の回転により前記シャワー孔からシャワー水をパルス状に断続吐水するパルスシャワー装置において、
前記散水板には、前記羽根車側に突出する突起を設けて、該突起の頂部を、該頂部に対向する該羽根車の該散水板側の被支持面に回転中心で当接し該羽根車を支持する当接部と成したことを特徴とするパルスシャワー装置。
【請求項２】
請求項１において、前記当接部の周りに、前記シャワー孔に向けて傾斜し又は湾曲した傾斜面又は湾曲面を設けたことを特徴とするパルスシャワー装置。
【請求項３】
内面から外面に貫通した複数のシャワー孔を備えた散水板と、
該散水板の上流側に設けられ、水流を羽根に当てることで軸周りに回転運動する羽根車と、を備え、該羽根車の回転により前記シャワー孔からシャワー水をパルス状に断続吐水するパルスシャワー装置において、
前記羽根車には、前記散水板側に突出する突起を設けて、該突起の頂部を、該頂部に対向する該散水板の該羽根車側の支持面に回転中心で当接し該支持面にて支持される当接部と成し、
且つ該散水板の該支持面を含む前記羽根車側の面であって平面視で該羽根車と重なる部分の全体をフラットな面としたことを特徴とするパルスシャワー装置。
【発明の詳細な説明】
【技術分野】
【０００１】
この発明はシャワー装置に関し、詳しくはシャワー孔からシャワー水をパルス状に断続吐水するパルスシャワー装置に関する。
【背景技術】
【０００２】
従来、シャワー装置として、内面から外面に貫通した複数のシャワー孔を備えた散水板と、散水板の上流側に設けられ、水流を羽根に当てることで軸周りに回転運動する羽根車とを備え、羽根車の回転によりシャワー孔からシャワー水をパルス状に断続吐水するパルスシャワー装置が公知である。
【０００３】
例えば下記特許文献１には、シャワーヘッド内部に羽根車を備え、その羽根車の回転運動により散水板のシャワー孔からシャワー水をパルス状に断続吐水する構造が開示されている。
また下記特許文献２に、同じくシャワーヘッド内部に羽根車を備え、その羽根車の回転運動により散水板のシャワー孔からシャワー水をパルス状に断続吐水する構造が開示されている。
【０００４】
しかしながらこれら特許文献１，特許文献２に開示のものは、羽根車に対する散水板の支持部と、羽根車の被支持部との接触面積が大で摩擦抵抗が大きく、羽根車の円滑な回転が阻害される恐れがある。
また摩耗カス（摩耗粉）が多く発生して、その摩耗カスが支持部と被支持部との接触面に噛み込まれることで、羽根車の円滑な回転を一層阻害してしまう。
【０００５】
特に摩耗の進行により、支持部と被支持部との間に噛み込まれる摩耗カスの量が累積して来ると、羽根車の回転運動が次第に鈍くなって、遂には回転不十分となり、所要のパルスシャワー機能が確保し難くなって使用寿命に達してしまう恐れがある。
【先行技術文献】
【特許文献】
【０００６】
【特許文献１】実開平５−３９６６４号公報
【特許文献２】特開２０１１−１６１０２３号公報
【発明の概要】
【発明が解決しようとする課題】
【０００７】
本発明は以上のような事情を背景とし、羽根車の円滑な回転運動を確保でき、また優れた耐久性を有するパルスシャワー装置を提供することを目的としてなされたものである。
【課題を解決するための手段】
【０００８】
而して請求項１のものは、内面から外面に貫通した複数のシャワー孔を備えた散水板と、該散水板の上流側に設けられ、水流を羽根に当てることで軸周りに回転運動する羽根車と、を備え、該羽根車の回転により前記シャワー孔からシャワー水をパルス状に断続吐水するパルスシャワー装置において、前記散水板には、前記羽根車側に突出する突起を設けて、該突起の頂部を、該頂部に対向する該羽根車の該散水板側の被支持面に回転中心で当接し該羽根車を支持する当接部と成したことを特徴とする。
【０００９】
請求項２のものは、請求項１において、前記当接部の周りに、前記シャワー孔に向けて傾斜し又は湾曲した傾斜面又は湾曲面を設けたことを特徴とする。
【００１０】
請求項３のものは、内面から外面に貫通した複数のシャワー孔を備えた散水板と、該散水板の上流側に設けられ、水流を羽根に当てることで軸周りに回転運動する羽根車と、を備え、該羽根車の回転により前記シャワー孔からシャワー水をパルス状に断続吐水するパルスシャワー装置において、前記羽根車には、前記散水板側に突出する突起を設けて、該突起の頂部を、該頂部に対向する該散水板の該羽根車側の支持面に回転中心で当接し該支持面にて支持される当接部と成し、且つ該散水板の該支持面を含む前記羽根車側の面であって平面視で該羽根車と重なる部分の全体をフラットな面としたことを特徴とする。
【発明の作用・効果】
【００１１】
以上のように請求項１は、羽根車側に突出する突起を散水板に設けて、その突起の頂部を、羽根車の散水板側の被支持面に回転中心で当接し羽根車を支持する当接部と成したものである。ここで被支持面はフラットな面となしておくことができる。
この請求項１によれば、当接部を羽根車の被支持面に対して点状に接触させる等可及的に小さな接触面積で当接させることが可能である。
しかも請求項１では、当接部を羽根車の回転中心で被支持面に当接させるため、羽根車の円滑な回転を確保できる。
【００１２】
羽根車の回転中心で当接部を羽根車の被支持面に当接させた場合、当接部と被支持面との間に発生する摩擦抵抗は小さく、羽根車の円滑な回転は実質的に阻害されない。
また当接部や羽根車の被支持面が摩耗したとしても、発生する摩耗カスの量は微量であり、且つ仮に摩耗カスが当接部と被支持面との間に噛み込まれたとしても、当接部と被支持面との接触面積が微小で、その接触面への噛込み量も微量であるため、従来のパルスシャワー装置のように多くの摩耗カスが発生して、その摩耗カスが広い接触面積に亘って噛み込まれてしまう場合に比べ、羽根車回転に対する摩耗カスによる悪影響は極めて微小である。
従って請求項１によれば、長期に亘って羽根車の円滑な回転を確保することができ、パルスシャワー装置の耐久性を高めることができる。
【００１３】
この請求項１では、突起の上部を断面（縦断面）山形状とし、そしてその頂部を当接部とすることができる。
この場合において、突起の上部を断面円弧形状その他の連続した湾曲形状としておくことができる。或いは円錐形状や角錐形状等の錐形状としてその頂部としての頂点ないし頂点を含む周辺部を当接部とすることができる。
これらの場合には、当接部を羽根車の被支持面に対して点接触若しくはこれに近い状態で接触させることができる。
【００１４】
次に請求項２は、請求項１における上記の当接部周りに、シャワー孔に向けて傾斜し又は湾曲した傾斜面又は湾曲面を設けたものである。
この請求項２によれば、当接部や羽根車の被支持面が摩耗して摩耗カスが発生した場合であっても、摩耗カスが傾斜面又は湾曲面によってシャワー孔に向けて案内され（シャワー孔に向う水の流れに乗ってシャワー孔に案内され）、シャワー水とともにシャワー孔から外部に排出されるため、摩耗カスが残留することによって羽根車の円滑な回転を阻害してしまうのをより確実に防止ないし抑制することができる。
【００１５】
この請求項２においては、突起の上部を断面円弧形状その他の湾曲形状とし、或いは円錐形状，角錐形状等の錐形状とした場合において、頂点に続く周面を請求項２の傾斜面又は湾曲面とすることができる。
また場合によって突起の下部の周面を請求項２の傾斜面又は湾曲面として形成することもできる。
或いは散水板内面から羽根車に向って膨出部を設けて、その膨出部から上記の突起を起立させ、そしてその膨出部の周面を上記の傾斜面や湾曲面として形成しておくこともできる。
【００１６】
一方請求項３は、散水板側に突出する突起を羽根車に設けて、その突起の頂部を、散水板の羽根車側の支持面に回転中心で当接し、支持面にて支持される当接部と成し、且つ散水板の上記支持面を含む羽根車側の面であって平面視で羽根車と重なる部分の全体を面一のフラットな面となしたものである。
この請求項３においても、羽根車側の当接部を散水板の支持面に対して点状に接触させる等、可及的に小さな接触面積で当接させることが可能であり、請求項１と同様の効果を得ることができる。
【００１７】
この請求項３においても、突起の下部を断面（縦断面）山形状とし、そしてその頂部を当接部とする等、請求項１における突起の上部と同様の形状で形成することができる。
そしてその頂部としての頂点ないし頂点を含む周辺部を当接部とすることができる。
これにより当接部を散水板の支持面に対して点接触若しくはこれに近い状態で接触させることができる。
【００１８】
請求項３では、散水板の上記支持面を含む羽根車側の面であって平面視で羽根車と重なる部分の全体をフラットな面となしており、このようにすることで、散水板に向って突出した突起の頂部即ち当接部が摩耗し、摩耗カスが発生した場合であっても、その摩耗カスを良好にシャワー孔に逃し、外部へと排出することができる。
【図面の簡単な説明】
【００１９】
【図１】本発明の一実施形態のパルスシャワー装置を備えた水栓を示した図である。
【図２】図１の吐水管の先端部の構造を示した図である。
【図３】同実施形態のパルスシャワー装置の断面図である。
【図４】図３のパルスシャワー装置の構成部品を分解して示した斜視図である。
【図５】図４の羽根車を異なる方向から示した図である。
【図６】（Ａ）同実施形態の羽根車とシャワー孔との関係を示した模式図である。（Ｂ）同羽根車のシャワー孔遮断部及びシャワー孔開放部を示した図である。
【図７】本発明の他の実施形態の要部を示した図である。
【発明を実施するための形態】
【００２０】
次に本発明の実施形態を図面に基づいて詳しく説明する。
図１において、１０は水栓（この例では湯水混合水栓、以下単に水栓とすることがある）で、１２はカウンタ上に露出状態に設置される吐水部、１４はカウンタ下に配置される制御機能部，１６は更にその下側に配置される温調機能部である。
温調機能部１６は、壁から突き出した水側，湯側の一対のクランク脚１８に接続された湯水混合バルブ２０をカバー２２の内側に有している。
【００２１】
湯水混合バルブ２０は、それら水側，湯側の各クランク脚１８から供給された水，湯を所定比率で混合するとともに、混合水を吐水部１２に向けて図中上向きに供給する。
この湯水混合バルブ２０からは、温調ハンドル２４が図中下向きに突き出している。
【００２２】
制御機能部１４は、カバー２６の内側に吐止水弁としての電磁弁２８と、これを作動制御する制御基板３０とを有している。
制御機能部１４は、制御基板３０による制御の下で電磁弁２８を開弁又は閉弁させることで、吐水部１２からの吐水と止水とを行わせる。
【００２３】
吐水部１２は、カウンタ上に起立する吐水管３２，吐水管３２の付根部からカウンタに沿って側方に延び出した操作盤３８を有している。
操作盤３８には、吐止水形態を変更するための操作スイッチ５０が設けられている。
ここで操作スイッチ５０は、後述の人体検知センサ４２による人体検知の有無に拘らず、手動操作によって吐水口４０から連続吐水又は止水させる吐止水スイッチとされている。
【００２４】
吐水管３２の上端側には、円筒状の吐水口４０を含むパルスシャワー装置（以下単にシャワー装置とする）４５が設けられており、更にその上側位置に、差し出された手等を検知する人体検知センサ４２が設けられている。
【００２５】
この例の水栓１０は自動水栓で、人体検知センサ４２が差し出された手等を検知すると、制御機能部１４において、制御基板３０による制御の下に電磁弁２８が開弁され、温調機能部１６における上記の湯水混合バルブ２０からの混合水が吐水口４０から自動吐水される。
また人体非検知となることで電磁弁２８が閉弁され、吐水口４０からの吐水が自動停止される。
【００２６】
吐水管３２からは、雄ねじ管３４が下向きに延び出している。
吐水管３２及び操作盤３８は、この雄ねじ管３４及び締付ナット３６にてカウンタに取付固定される。
詳しくは、雄ねじ管３４をカウンタの取付孔を挿通してその裏側まで突き出させ、そしてその突き出した部分に締付ナット３６をねじ込み、これを３角パッキン３７を介してカウンタ裏側に締め付けることで、吐水管３２及び操作盤３８がカウンタ上に固定状態に設置される。
【００２７】
吐水管３２の内部には、各一端が吐水口４０，人体検知センサ４２にそれぞれ接続された給水チューブ４４と、センサ配線４６とが通っている。
これら給水チューブ４４とセンサ配線４６は、それぞれ吐水管３２から雄ねじ管３４内を通って下向きに延び出している。
同じく操作盤３８から延び出したスイッチ配線５２が、雄ねじ管３４内を通って下向きに延び出している。
そして給水チューブ４４が制御機能部１４の電磁弁２８に接続され、またセンサ配線４６及びスイッチ配線５２が、同じく制御機能部１４の制御基板３０に接続されている。
上記吐水管３２にはまた、図示を省略する水槽の排水口を開閉するポップアップ排水栓を操作するための引き棒４８が設けられている。
【００２８】
図２に示しているように、吐水管３２の先端部には、吐水口４０を含むシャワー装置４５及び人体検知センサ４２を保持した保持部材５４が配置され、吐水管３２本体に固定されている。
保持部材５４は管状の接続部５６を有しており、その接続部５６に対して給水チューブ４４が差込状態に接続されている。
この保持部材５４はまた閉鎖部５８を有しており、その閉鎖部５８にて、吐水管３２の先端部の開口６０を閉鎖している。
【００２９】
吐水口４０の下面には、シャワー装置４５の要素を成す散水板６２が設けられている。
この散水板６２には、これを内面から外面（下面）に貫通した多数のシャワー孔６４が、２重の同心円をなす状態に配置されている。
図中６４-１は外周側のシャワー孔を、また６４-２は内周側のシャワー孔を示している。
【００３０】
図３及び図４にシャワー装置の具体的な構成が示してある。
図に示しているようにシャワー装置４５は、そのケースとしての円筒状の吐水口４０と、その内側に配置されたキャップ６６，ノズルシート６８，ノズルシート押え７０，羽根車７２，水流噴射部材７４とを有している。
ここでノズルシート６８以外の各部材は、何れも硬質の樹脂製とされている。
【００３１】
図３に示しているように、吐水口４０は図中上部に円筒形状の小径部７６を有している。この小径部７６の外周面には雄ねじ部７８が設けられている。
一方上記の保持部材５４には、対応する円筒部８０が設けられている。そしてこの円筒部８０の内周面に雌ねじ部８２が設けられている。
吐水口４０は、小径部７６の雄ねじ部７８と円筒部８０の雌ねじ部８２のねじ結合により保持部材５４に組み付けられ、保持されている。
尚、吐水口４０と保持部材５４との間は、図２にも示しているようにリング状の弾性シール部材８４にて水密にシールされている。
【００３２】
上記キャップ６６は、円筒形状の周壁部８６と底部８８とを有している。
底部８８には、上記シャワー孔６４に対応した数の多数の挿通孔９０が底部８８を貫通して設けられている。
一方周壁部８６には、外周面に雄ねじ部９２が設けられている。
キャップ６６はこの雄ねじ部９２において、吐水口４０における大径側の下部の内周面に形成された雌ねじ部９４に螺合され、吐水口４０にねじ結合されている。
【００３３】
尚、図４に示しているようにキャップ６６には、周壁部８６の周方向３個所に切欠形状の縦の溝１０１が設けられている。
キャップ６６は、この溝１０１よりも図中下部において、図３に示しているように弾性を有するＯリング１０２にて吐水口４０との間が水密にシールされている。
【００３４】
この実施形態において、散水板６２は、キャップ６６の底部８８と、これに重ねられたノズルシート６８のシート部９６と、更にこれに重ねられたノズルシート押え７０との３重積層構造で構成されている。
ノズルシート６８はゴム製（他のエラストマー材料から成るものであっても良い）であり、このノズルシート６８はシート部９６と、シート部９６から下向きに突き出した多数のノズル部９８とを有しており、各ノズル部９８が、樹脂製のキャップ６６の底部８８に形成された挿通孔９０を挿通して、それぞれの先端部が下向きに突き出している。
これら複数のノズル部９８は、内部にノズル孔６４Ａを有しており、それらノズル孔６４Ａによってシャワー孔６４の下部を形成している。
【００３５】
ノズルシート６８のシート部９６は、図中下面が下向きに凸、図中上面が下向きに凹となるような湾曲形状をなしており、そしてその下面から直角に立下る形状で、各ノズル部９８がシート部９６に一体に形成されている。
これに対応してノズル押え７０は、その下面がノズルシート６８におけるシート部９６の凹曲面に対応した凸曲面を成している。
【００３６】
このノズルシート押え７０には、ノズル孔６４Ａと連通し、上記のシャワー孔６４の上部を形成する多数の貫通の連通孔６４Ｂが設けられている。
尚このノズルシート押え７０には、図４に示しているように周方向３個所に、後述の水流噴射部材７４における押え脚１２０からの力を受ける被押圧部１０４が、径方向外向きに突出する形で設けられている。
ノズルシート押え７０は、これら被押圧部１０４をキャップ６６の上記の溝１０１内部に嵌め入れる状態に、キャップ６６内部に組み込まれている。
【００３７】
ノズルシート押え７０の図中上側（上流側）には、羽根車７２が回転可能に配置されている。
羽根車７２は、図５に示しているように中心部に図中下端が閉鎖された形状の有底円筒状の嵌合部１０６を有しており、この嵌合部１０６が、水流噴射部材７４の後述の軸部１１８に嵌め合されている。
羽根車７２は、これら軸部１１８と嵌合部１０６との嵌合に基づいて、軸部１１８周りに回転運動せしめられる。
【００３８】
羽根車７２は、中心側から外周側に向って部分螺旋形状で延びる羽根１０８を周方向に一定ピッチで多数有している。
羽根車７２はまた、図中下面側に、ノズルシート押え７０の内面に沿って所定周長で延び、羽根車７２の図中下面を部分的に閉鎖するシャワー孔遮断部１１０を有している。
シャワー孔遮断部１１０は、ノズルシート押え７０の多数の連通孔６４Ｂ、即ち多数のシャワー孔６４を部分的に覆ってこれを遮断作用する。
【００３９】
羽根車７２はまた、シャワー孔遮断部１１０を除いた部分において、散水板６２内面、具体的にはノズルシート押え７０の内面に向けて開放されたシャワー孔開放部１１２を、周方向に１８０°隔たった２個所に有している。
ここで一対のシャワー孔開放部１１２は、内周側の端から外周側の端に到るまで、ほぼ同じ幅寸法を維持しながら延びている。
ここでは内周側の端の幅寸法（周方向長）Ｘ１（図６参照）の、同一円周上における全周長に対する比率が０．１８であり、また外周側の端の幅寸法（周方向長）Ｘ２の、同一円周上における全周長に対する比率が０．０６である。
【００４０】
羽根車７２にはまた、各羽根１０８の外周端及びシャワー孔遮断部１１０を連結する円環状の連結部１１４が、シャワー孔遮断部１１０から起立する形態で設けられている。
【００４１】
図３において、羽根車７２の図中上側には水流噴射部材７４が配置されている。
この水流噴射部材７４は、上流側から流れて来た水を噴射孔１１６に導入してこれを通過させる。そして通過水を噴射水流として図中下側の羽根車７２の羽根１０８に当て、羽根車７２を回転駆動する。
ここで噴射孔１１６は、噴射水流が羽根車７２の部分螺旋形状をなす羽根１０８の凹面側に当るように、その向きが定められている。
水流噴射部材７４は、その中心部から下向きに突き出した軸部１１８を有しており、この軸部１１８に対して羽根車７２の上記の嵌合部１０６が回転可能に嵌合されている。
【００４２】
この水流噴射部材７４にはまた、図４に示しているように外周部において周方向３個所から下向きに立下る押え脚１２０が設けられている。
これら押え脚１２０は、キャップ６６の上記の縦の溝１０１内に下向きに嵌入し、上記のノズルシート押え７０の被押圧部１０４に下端を当て、これを下向きに押圧作用する。即ちノズルシート押え７０に下向きの力を加える。
ノズルシート押え７０は、この下向きの力を受けてノズルシート６８をキャップ６６の底部８８に向けて押圧する。
【００４３】
この実施形態においては、ノズルシート押え７０の中心、即ち羽根車７２の回転中心において、図４に示しているようにその内面１２２から図中上向きで羽根車７２側に突出する突起１２４が設けられている。
突起１２４は、その上部が断面（縦断面）山形状をなしている。具体的にはここでは上部が部分球状をなしており、その断面形状が半径Ｒの円弧形状をなしている。
【００４４】
そしてその頂点が、図３の部分拡大図に示しているように羽根車７２の回転中心において羽根車７２下面に当接せしめられている。
即ちここでは突起１２４の頂点が、羽根車７２下面の一部である被支持面１３０に当接して羽根車７２を下側から支持する当接部１２６を成している。
【００４５】
この実施形態において、羽根車７２は下面全体が、羽根車７２の軸線と直交方向である軸直角方向にフラットな面をなしており、従って被支持面１３０もまたフラットな面をなしている。
同様にノズルシート押え７０の内面（図中上面）もまた、その全体がフラットな面をなしている。
但し場合によって羽根車７２下面の、被支持面１３０以外の部分を他の形状とすることも可能である。
【００４６】
上記突起１２４は、当接部１２６から離れるに連れてノズルシート押え７０の内面１２２に向って移行する湾曲面、具体的にはここでは円弧面１２８をなしている。
この円弧面１２８は、羽根車７２の回転運動に伴い、当接部１２６や被支持面１３０が摩耗したときに、発生した摩耗カスをノズルシート押え７０の内面１２２に向けて、つまりは連通孔６４Ｂ（即ちシャワー孔６４）に向けて排出案内する働きを有する。
【００４７】
この実施形態のシャワー装置４５は次のようにして組み付けることができる。
先ずキャップ６６の内部にノズルシート６８，ノズルシート押え７０，羽根車７２，水流噴射部材７４を収めておく。
その状態でキャップ６６を、円筒状をなす吐水口４０に対して上向きにねじ込む。するとノズルシート６８，ノズルシート押え７０，羽根車７２，水流噴射部材７４が持ち上げられ、そして水流噴射部材７４が吐水口４０の段付形状の肩部１３２（図３参照）に当って、キャップ６６内部の各部材、具体的にはノズルシート６８，ノズルシート押え７０，羽根車７２，水流噴射部材７４が固定される。
【００４８】
このとき水流噴射部材７４の押え脚１２０には、キャップ６６の上向きのねじ込み力によって下向きの力が加わり、押え脚１２０によってノズルシート押え７０がノズルシート６８に押し付けられて、これを下向きに押える。
【００４９】
その状態で上流側から水が流れて来ると、その水が水流噴射部材７４の噴射孔１１６を通過して流れ、その際に通過水が噴射水流となって羽根車７２の羽根１０８に当り、これを回転運動する。
そして羽根車７２の回転運動によりシャワー孔６４が断続的に遮断及び開放され、シャワー孔６４からシャワー水がパルス状に断続吐水される。
【００５０】
以上のように本実施形態によれば、当接部１２６を羽根車７２の被支持面１３０に対して点状に接触させることができる。
しかも本実施形態では、当接部１２６を羽根車７２の回転中心で被支持面１３０に当接させるため、羽根車７２の円滑な回転を確保できる。
【００５１】
羽根車７２の回転中心で当接部１２６を羽根車７２の被支持面１３０に当接させた場合、当接部１２６と被支持面１３０との間に発生する摩擦抵抗は小さく、羽根車７２の円滑な回転は実質的に阻害されない。
また当接部１２６や羽根車７２の被支持面１３０が摩耗したとしても、発生する摩耗カスの量は微量であり、且つ仮に摩耗カスが当接部１２６と被支持面１３０との間に噛み込まれたとしても、当接部１２６と被支持面１３０との接触面積が微小で、その接触面への噛込み量も微量であるため、従来のパルスシャワー装置のように多くの摩耗カスが発生して、その摩耗カスが広い接触面積に亘って噛み込まれてしまう場合に比べ、羽根車７２回転に対する摩耗カスによる悪影響は極めて微小である。
従って本実施形態によれば、長期に亘って羽根車７２の円滑な回転を確保することができ、パルスシャワー装置４５の耐久性を高めることができる。
【００５２】
本実施形態では、上記当接部１２６周りに、シャワー孔６４に向けて断面形状が湾曲した形状の、湾曲面としての円弧面（部分球面）１２８が設けてあり、当接部１２６や羽根車７２の被支持面１３０が摩耗して摩耗カスが発生した場合であっても、摩耗カスが円弧面１２８によってシャワー孔６４に向けて案内され（シャワー孔６４に向う水の流れに乗ってシャワー孔６４に案内され）、シャワー水とともにシャワー孔６４から外部に排出されるため、摩耗カスが残留することによって羽根車７２の円滑な回転を阻害してしまうのをより確実に防止ないし抑制することができる。
【００５３】
次に、図７は本発明の他の実施形態を示している。
この例では、羽根車７２の回転中心において、羽根車７２の図中下面から散水板６２に向けて、詳しくはノズルシート押え７０に向けて突出する突起１３４を設けている。
ここで突起１３４の形状は、図中上下の向きが逆向きである点を除いて図３に示す突起１２４と同形状である。但し他の形状としておくことも可能である。
【００５４】
この例においても、図７の部分拡大図に示しているように突起１３４の頂点がノズルシート押え７０の上面、即ちその内面１２２に対して当接せしめられている。
ここでは突起１３４の頂点が、ノズルシート押え７０の内面１２２の一部である支持面１３６に当接し、支持面１３６にて支持される当接部１３８を成している。
【００５５】
尚この実施形態において、羽根車７２の下面の全体（但し突起１３４を除く）及びノズルシート押え７０の上面（内面１２２）の全体（但し被押圧部１０４形成部分を除く）が、羽根車７２の軸線と直交方向である軸直角方向にフラットな面をなしている点で、図３〜図６に示す第１の実施形態と同様である。
【００５６】
但しノズルシート押え７０が平面視で羽根車７２よりも径方向外方に張り出した形状をなしている場合において、ノズルシート押え７０における内面１２２の、平面視で羽根車７２と重なる部分の全体をフラットな面となしておき、平面視で羽根車７２から径方向外方にはみ出した部分については、そのようなフラット面とは異なった形状の面となしておくことも可能である。
【００５７】
この図７に示す実施形態においては、羽根車７２側の当接部１３８を、ノズルシート押え７０側即ち散水板６２側の支持面１３６に対して点状に接触させる等、可及的に小さな接触面積で当接させることが可能であり、図３〜図６に示す第１の実施形態と同様の効果を得ることができる。
【００５８】
この図７の実施形態ではまた、ノズルシート押え７０の上記の支持面１３６を含む内面１２２を、詳しくは平面視で羽根車７２と重なる部分の全体をフラットな面としているため、当接部１３８が摩耗した場合であっても、その摩耗カスを良好にノズルシート押え７０の連通孔６４Ｂ、即ちシャワー孔６４へと逃し、外部に良好に排出することができる。
【００５９】
以上本発明の実施形態を詳述したがこれはあくまで一例示であり、本発明はその趣旨を逸脱しない範囲において種々変更を加えた形態で構成可能である。
【符号の説明】
【００６０】
４５  シャワー装置
６２  散水板
６４  シャワー孔
７２  羽根車
１０８  羽根
１２４，１３４  突起
１２６，１３８  当接部
１２８  円弧面（湾曲面）
１３０  被支持面
１３６  支持面
【図１】
2014150822.tif 000003
【図２】
2014150822.tif 000004
【図３】
2014150822.tif 000005
【図４】
2014150822.tif 000006
【図５】
2014150822.tif 000007
【図６】
2014150822.tif 000008
【図７】
2014150822.tif 000009